(57)【要約】【課題】階段室の設計の自由度を向上できるとともに、施工性を向上できる支持具を提供すること。【解決手段】支持具２０は、鉄筋コンクリート造の躯体に階段部材１０を取り付けるためのものである。階段部材１０は、各階の床レベルに配置されるフロア踊り場１１Ａと、各階同士の中間高さに配置される中間踊り場１１Ｂと、フロア踊り場１１Ａと中間踊り場１１Ｂとを繋ぐ階段部１２と、を備える。支持具２０は、水平方向に延びて踊り場１１Ａ、１１Ｂを支持する水平受け部材２１Ａ、２１Ｂと、鉛直方向に延びて水平受け部材２１Ａ、２１Ｂの両端側にブラケット２３を介して取り付けられる４本の鉛直部材２２と、を備える。水平受け部材２１Ａ、２１Ｂとブラケット２３とは、仮ボルト２４で仮固定され、鉛直部材２２とブラケット２３とは、仮ボルト２５で仮固定される。【選択図】図６
2018021352.tif 000002
【特許請求の範囲】
【請求項１】
鉄筋コンクリート造の躯体に階段部材を取り付けるための支持具であって、
前記階段部材は、鉄骨造の折り返し階段を構成し、各階の床レベルに配置されるフロア踊り場と、各階同士の中間高さに配置される中間踊り場と、前記フロア踊り場と前記中間踊り場とを繋ぐ階段部と、を備え、
水平方向に延びて前記フロア踊り場および前記中間踊り場を支持する水平受け部材と、
鉛直方向に延びて前記水平受け部材の両端側にブラケットを介して取り付けられる４本の鉛直部材と、を備え、
前記水平受け部材と前記ブラケットとは、仮ボルトで仮固定され、
前記鉛直部材と前記ブラケットとは、仮ボルトで仮固定されることを特徴とする支持具。
【請求項２】
鉄筋コンクリート造の躯体に階段部材を取り付けて階段を構築する方法であって、
請求項１に記載の支持具を階段設置位置に配置する第１工程と、
前記支持具の水平受け部材に前記階段部材を取り付ける第２工程と、
当該水平受け部材の高さまで躯体を構築して、当該躯体に前記水平受け部材を固定する第３工程と、
前記ブラケットから前記鉛直部材を取り外して上方にスライドさせて、再度、前記ブラケットに仮固定する第４工程と、
前記鉛直部材に新たな水平受け部材を取り付ける第５工程と、
前記第２工程から前記第５工程までを繰り返す第６工程と、を備える階段構築方法。
【発明の詳細な説明】
【技術分野】
【０００１】
本発明は、構造物に階段部材を取り付ける際に、この階段部材を支持する支持具、および、この支持具を用いて階段を構築する階段構築方法に関する。
【背景技術】
【０００２】
従来より、鉄筋コンクリート造の建物に鉄骨階段を取り付ける方法として、例えば、特許文献１の方法が知られている。
具体的には、特許文献１では、支持具を用いて、階段部材を鉄筋コンクリート造の建物に取り付ける。
【０００３】
階段部材は、鉄骨造の折り返し階段を構成するものであり、基準階床レベルに配置されるフロア踊り場と、基準階同士の中間高さに配置される中間踊り場と、を備えている。
支持具は、水平方向に延びて階段部材のフロア踊り場および中間踊り場を支持する複数の横受材と、鉛直方向に延びて前記各横受材の両端側に取り付けられる４本の縦材と、を備える。横受材と縦材とは、互いに当接した状態で、仮ボルトで仮固定されている。
【０００４】
まず、ステップ１では、支持具を階段設置位置に配置する。ステップ２では、支持具の横受材に階段部材を取り付ける。ステップ３では、横受材を打ち込んで建物の鉄筋コンクリート躯体を構築する。ステップ４では、横受材から縦材を取り外して上方にスライドさせ、この状態で、縦材を横受材に再度仮固定する。ステップ５では、縦材に新たな横受材を取り付ける。以降、ステップ２〜５を繰り返す。
【０００５】
特許文献１の方法によれば、階段部材を支持具で仮支持した状態で、建物の躯体を構築するので、鉄骨階段を高精度で構築できる。
【先行技術文献】
【特許文献】
【０００６】
【特許文献１】特許第３０８７１９６号公報
【発明の概要】
【発明が解決しようとする課題】
【０００７】
しかしながら、特許文献１の方法では、縦材が横受材に当接しているため、平面視で、縦材の位置は横受材の近傍に限定される。
その結果、設計上、縦材の位置を確保できず、階段の設計変更が必要となる場合があった。また、横受材を躯体に打ち込んだ際に、躯体のコンクリートが縦材に付着してしまい、横受材から縦材を取り外すのに手間がかかる場合があった。
【０００８】
本発明は、階段室の設計の自由度を向上できるとともに施工性を向上できる、支持具および階段の構築方法を提供することを目的とする。
【課題を解決するための手段】
【０００９】
請求項１に記載の支持具は、鉄筋コンクリート造の躯体（例えば、後述の躯体３）に階段部材（例えば、後述の階段部材１０）を取り付けるための支持具（例えば、後述の支持具２０）であって、前記階段部材は、鉄骨造の折り返し階段を構成し、各階の床レベルに配置されるフロア踊り場（例えば、後述のフロア踊り場１１Ａ）と、各階同士の中間高さに配置される中間踊り場（例えば、後述の中間踊り場１１Ｂ）と、前記フロア踊り場と前記中間踊り場とを繋ぐ階段部（例えば、後述の階段部１２）と、を備え、水平方向に延びて前記フロア踊り場および前記中間踊り場を支持する水平受け部材（例えば、後述の水平受け部材２１Ａ、２１Ｂ）と、鉛直方向に延びて前記水平受け部材の両端側にブラケット（例えば、後述のブラケット２３）を介して取り付けられる４本の鉛直部材（例えば、後述の鉛直部材２２）と、を備え、前記水平受け部材と前記ブラケットとは、仮ボルト（例えば、後述の仮ボルト２４）で仮固定され、前記鉛直部材と前記ブラケットとは、仮ボルト（例えば、後述の仮ボルト２５）で仮固定されることを特徴とする。
【００１０】
請求項２に記載の階段構築方法は、鉄筋コンクリート造の躯体に階段部材を取り付けて階段を構築する方法であって、上述の支持具を階段設置位置に配置する第１工程（例えば、後述のステップＳ１）と、前記支持具の水平受け部材に前記階段部材を取り付ける第２工程（例えば、後述のステップＳ２）と、当該水平受け部材の高さまで躯体を構築して、当該躯体に前記水平受け部材を固定する第３工程（例えば、後述のステップＳ３）と、前記ブラケットから前記鉛直部材を取り外して上方にスライドさせて、再度、前記ブラケットに仮固定する第４工程（例えば、後述のステップＳ４）と、前記鉛直部材に新たな水平受け部材を取り付ける第５工程（例えば、後述のステップＳ５）と、前記第２工程から前記第５工程までを繰り返す第６工程（例えば、後述のステップＳ６）と、を備える。
【発明の効果】
【００１１】
本発明によれば、水平受け部材の両端側にブラケットを介して４本の鉛直部材を取り付けたので、平面視で、鉛直部材を水平受け部材からある程度離れた位置に配置できるから、鉛直部材の平面上の位置を確保でき、階段室の設計の自由度を向上できる
また、鉛直部材が水平受け部材からある程度離れているため、水平受け部材を躯体に打ち込んだ際、躯体のコンクリートが飛散して鉛直部材に付着するのを防止できる。よって、水平受け部材から鉛直部材を容易に取り外すことができ、施工性を向上できる。
【図面の簡単な説明】
【００１２】
【図１】本発明の一実施形態に係る階段構築方法により構築される階段構造の平面図である。
【図２】前記実施形態に係る階段構造の縦断面図である。
【図３】前記実施形態に係る階段構造を構築する手順のフローチャートである。
【図４】前記実施形態に係る階段構造を構築する手順の説明図（その１）である。
【図５】前記実施形態に係る階段構造の構築に用いられる支持具の平面図である。
【図６】前記実施形態に係る階段構造の構築に用いられる支持具の縦断面図である。
【図７】図６の破線Ａで囲まれた部分の拡大図である。
【図８】前記実施形態に係る階段構造を構築する手順の説明図（その２）である。
【図９】前記実施形態に係る階段構造を構築する手順の説明図（その３）である。
【発明を実施するための形態】
【００１３】
以下、本発明の一実施形態について、図面を参照しながら説明する。
図１は、本発明の一実施形態に係る階段構築方法により構築された階段構造１の平面図である。図２は、階段構造１の縦断面図である。
階段構造１は、建物２の階段室の鉄筋コンクリート造の躯体３に鉄骨造の階段部材１０が取り付けられて構築されている。
【００１４】
階段部材１０は、複数組み合わされて鉄骨造の折り返し階段を構成するものである。この階段部材１０は、各階の床レベルに配置されるフロア踊り場１１Ａと、各階同士の中間高さに配置される中間踊り場１１Ｂと、フロア踊り場１１Ａと中間踊り場１１Ｂとを繋ぐ階段部１２と、を備える。
階段部１２は、蹴込み板１３および段板１４を備えている。
フロア踊り場１１Ａおよび中間踊り場１１Ｂには、後述の鉛直部材２２を挿通するための床開口１５が形成されており、この床開口１５は鋼製の塞ぎ板１６で塞がれている。
【００１５】
以下、階段構造１を構築する手順について、図３のフローチャートを参照しながら説明する。
【００１６】
初期状態として、建物２の階段室の躯体３は、ｎ階床レベルまで構築されているものとする。
ステップＳ１では、図４に示すように、支持具２０を階段室の階段設置位置に配置する。この支持具２０は、ｎ階床レベルよりも上方に突出している。
【００１７】
図５は、支持具２０の平面図であり、図６は、支持具２０の側面図である。図７は、図６の破線Ａで囲まれた部分の拡大図である。
支持具２０は、水平方向に延びて階段部材１０のフロア踊り場１１Ａおよび中間踊り場１１Ｂを支持する複数の水平受け部材２１Ａ、２１Ｂと、鉛直方向に延びて前記各水平受け部材２１Ａ、２１Ｂの両端側にブラケット２３を介して取り付けられる４本の鉛直部材２２と、を備える。
【００１８】
ここで、水平受け部材２１Ａは、フロア踊り場１１Ａを支持しており、水平受け部材２１Ｂは、中間踊り場１１Ｂを支持している。
水平受け部材２１Ａ、２１Ｂとブラケット２３とは、仮ボルト２４で仮固定され、鉛直部材２２とブラケット２３とは、仮ボルト２５で仮固定されている。
鉛直部材２２には、仮ボルト２５を挿通するための挿通孔が上下方向に沿って複数箇所に設けられている。
【００１９】
ステップＳ２では、図４に示すように、支持具２０の水平受け部材２１Ａ、２１Ｂに階段部材１０を取り付ける。
具体的には、階段部材１０のフロア踊り場１１Ａを、支持具２０の水平受け部材２１Ａに取り付けるとともに、階段部材１０の中間踊り場１１Ｂを、水平受け部材２１Ｂに取り付ける。このとき、鉛直部材２２を踊り場１１Ａ、１１Ｂの床開口１５に挿通する（図５参照）。
【００２０】
ステップＳ３では、図８に示すように、水平受け部材２１Ａ、２１Ｂの高さつまり（ｎ＋２）階床レベルまで躯体３を構築して、この躯体３に水平受け部材２１Ａ、２１Ｂを固定する。
具体的には、建物２の躯体３を２フロア分構築する。このとき、水平受け部材２１Ａ、２１Ｂに図示しないアンカーボルトを取り付けておき、このアンカーボルトを躯体３に打ち込んでコンクリートを打設することで、水平受け部材２１Ａ、２１Ｂを躯体３に固定する。
【００２１】
ステップＳ４では、図９に示すように、鉛直部材２２をブラケット２３から取り外して上方にスライドさせ、その後、再度、ブラケット２３に仮固定する。
具体的には、水平受け部材２１Ａ、２１Ｂから仮ボルト２５を取り外すことで、ブラケット２３から鉛直部材２２を取り外し、この鉛直部材２２を上方にスライドさせて、（ｎ＋２）階よりも上方に突出させる。
【００２２】
その後、鉛直部材２２を、再度、水平受け部材２１Ａ、２１Ｂに仮固定されたブラケット２３に仮ボルト２５で仮固定する。
また、このとき、ｎ階床レベル以下のフロア踊り場１１Ａおよび中間踊り場１１Ｂの床開口１５には、鉛直部材２２が挿通されていない。よって、この床開口１５を塞ぎ板１６で塞ぐとともに、ｎ階床レベル以下に位置する水平受け部材２１Ａ、２１Ｂから仮ボルト２４を取り外して、ブラケット２３を撤去する。
【００２３】
ステップＳ５では、図９に示すように、鉛直部材２２の（ｎ＋２）階床レベルよりも上方に突出した部分に、新たな水平受け部材２１Ａ、２１Ｂを取り付ける。
ステップＳ６では、ステップＳ２〜Ｓ５を繰り返す。
【００２４】
本実施形態によれば、以下のような効果がある。
（１）水平受け部材２１Ａ、２１Ｂの両端側にブラケット２３を介して４本の鉛直部材２２を取り付けたので、平面視で、鉛直部材２２を水平受け部材２１Ａ、２１Ｂからある程度離れた位置に配置できるから、鉛直部材２２の平面上の位置を確保でき、階段室の設計の自由度を向上できる
また、鉛直部材２２が水平受け部材２１Ａ、２１Ｂからある程度離れているため、水平受け部材２１Ａ、２１Ｂを躯体３に打ち込んだ際、躯体３のコンクリートが飛散して鉛直部材２２に付着するのを防止できる。よって、水平受け部材２１Ａ、２１Ｂから鉛直部材２２を容易に取り外すことができ、施工性を向上できる。
【００２５】
（２）鉛直部材２２に、仮ボルト２５を挿通するための挿通孔を上下方向に沿って複数箇所に設けたので、フロア毎に階高が異なっても、水平受け部材２１Ａ、２１Ｂの取り付け位置を適宜変更して対応できる。
【００２６】
（３）フロア踊り場１１Ａおよび中間踊り場１１Ｂの床開口１５を、鋼製の塞ぎ板１６で塞いだので、工事期間中に、床開口１５から工具が落下したり雨漏れしたりするのを防止できる。
【００２７】
なお、本発明は前記実施形態に限定されるものではなく、本発明の目的を達成できる範囲での変形、改良等は本発明に含まれるものである。
例えば、本実施形態では、支持具２０を階段室に配置した後、この支持具２０に階段部材１０を取り付けたが、これに限らず、支持具２０と複数の階段部材１０とをユニット化して地組みしておいてもよい。このようにすれば、工期を短縮できる。
【符号の説明】
【００２８】
１…階段構造  ２…建物  ３…階段室の躯体
１０…階段部材  １１Ａ…フロア踊り場  １１Ｂ…中間踊り場
１２…階段部  １３…蹴込み板  １４…段板
１５…床開口  １６…塞ぎ板
２０…支持具  ２１Ａ、２１Ｂ…水平受け部材
２２…鉛直部材  ２３…ブラケット２４、２５…仮ボルト
【図１】
2018021352.tif 000003
【図２】
2018021352.tif 000004
【図３】
2018021352.tif 000005
【図４】
2018021352.tif 000006
【図５】
2018021352.tif 000007
【図６】
2018021352.tif 000008
【図７】
2018021352.tif 000009
【図８】
2018021352.tif 000010
【図９】
2018021352.tif 000011